(57)【要約】【課題】発光ダイオードを搭載した照明器具において、少ない種類の照明器具で従来の蛍光灯の代替をすることができるようにする。【解決手段】ＬＥＤ照明ユニット１においては、発光ダイオード６が配置され、一方向に延伸された形状を有する本体部５と、本体部５の延伸方向における両端においてそれぞれ配置され、発光ダイオード６を有する他のＬＥＤ照明ユニット１に設けられた接続部１０，１５と接続可能な接続部１０，１５と、を備えている。このＬＥＤ照明ユニット１によれば、接続部１０，１５を介して他のＬＥＤ照明ユニットと接続することができるので、複数のＬＥＤ照明ユニット１を組み合わせることによって長さを調節することができる。よって、少ない種類のＬＥＤ照明ユニット１で従来の蛍光灯の代替をすることができる。【選択図】図５
2011222408.tif 000002
【特許請求の範囲】
【請求項１】
発光ダイオードを備えた照明器具であって、
前記発光ダイオードが配置され、一方向に延伸された形状を有する本体部と、
前記本体部の延伸方向における両端においてそれぞれ配置され、発光ダイオードを有する他の照明器具に設けられた接続部と接続可能な接続部と、
を備えたことを特徴とする照明器具。
【請求項２】
請求項１に記載の照明器具において、
前記本体部の両端に設けられた接続部のうちの一方の接続部は、他方の接続部と組み合わせることができる形状に形成されていること
を特徴とする照明器具。
【請求項３】
請求項２に記載の照明器具において、
前記一方の接続部は、突起部を備え、
前記他方の接続部は、前記突起部を挿入可能な凹部を備えていること
を特徴とする照明器具。
【請求項４】
請求項１〜請求項３の何れか１項に記載の照明器具において、
前記接続部は、他の照明器具の接続部と接続されたときに、当該照明器具と前記他の照明器具とが電気的に接続される端子部を備えていること
を特徴とする照明器具。
【請求項５】
請求項１〜請求項４の何れか１項に記載の照明器具において、
他の照明器具の接続部と接続されたときに、当該照明器具と前記他の照明器具とを固定する固定部材を備えたこと
を特徴とする照明器具。
【請求項６】
照明器具同士を接続する照明器具用接続部材であって、
発光ダイオードを有する他の照明器具に設けられた接続部とそれぞれ接続可能な複数の接続部、を備えたこと
を特徴とする照明器具用接続部材。
【発明の詳細な説明】
【技術分野】
【０００１】
本発明は、発光ダイオードを搭載した照明器具、およびこれらの接続するための照明器具用接続部材に関する。
【背景技術】
【０００２】
上記の照明器具として、従来の蛍光灯の形状を有するものが知られている（例えば、特許文献１参照）。このような照明器具では、従来の蛍光灯に換えて配置できるように、その形状を従来と蛍光灯と同様の形状にしている。
【先行技術文献】
【特許文献】
【０００３】
【特許文献１】実用新案登録第３１４２６５２号公報
【発明の概要】
【発明が解決しようとする課題】
【０００４】
しかしながら、従来の蛍光灯では、多くの種類のものが準備されており、従来の蛍光灯をそのまま上記照明器具に置き換えようとすると、従来の蛍光灯と同じだけの種類の照明器具を開発する必要がある。このように多くの種類の照明器具を開発するのは、多大なコストが掛かり不経済である。
【０００５】
そこで、このような問題点を鑑み、発光ダイオードを搭載した照明器具において、少ない種類の照明器具で従来の蛍光灯の代替をすることができるような技術を提供することを本発明の目的とする。
【課題を解決するための手段】
【０００６】
かかる目的を達成するために成された照明器具においては、発光ダイオードが配置され、一方向に延伸された形状を有する本体部と、本体部の延伸方向における両端においてそれぞれ配置され、発光ダイオードを有する他の照明器具に設けられた接続部と接続可能な接続部と、を備えている（請求項１）。
【０００７】
このような照明器具によれば、接続部を介して他の照明器具と接続することができるので、複数の照明器具を組み合わせることによって長さを調節することができる。よって、少ない種類の照明器具で従来の蛍光灯の代替をすることができる。
【０００８】
ところで、上記照明器具において、本体部の両端に設けられた接続部のうちの一方の接続部は、他方の接続部と組み合わせることができる形状に形成されていてもよい（請求項２）。
【０００９】
このような照明器具によれば、本発明の照明器具を複数準備すれば、これらを直列に接続することができる。よって、本発明の照明器具と接続するための他の照明器具を別途開発することを要しないため、よりコスト削減することができる。
【００１０】
また、上記照明器具において、一方の接続部は、突起部を備え、他方の接続部は、突起部を挿入可能な凹部を備えていてもよい（請求項３）。
このような照明器具によれば、本発明の照明器具を直列に接続する際に、突起部と凹部とを組み合わせることによって容易に位置決めすることができる。
【００１１】
さらに、上記照明器具において、接続部は、他の照明器具の接続部と接続されたときに、当該照明器具と他の照明器具とが電気的に接続される端子部を備えていてもよい（請求項４）。
【００１２】
このような照明器具によれば、本発明の照明器具と他の照明器具とを接続する際に、電気的にも接続することができる。よって、電気的な接続を別途行う場合と比較して、当該照明器具を接続する際の工程を簡素にすることができる。また、本発明を請求項３の記載の発明と組み合わせれば、端子部についても同時に位置決めすることができる。
【００１３】
また、上記照明器具においては、他の照明器具の接続部と接続されたときに、この照明器具と他の照明器具とを固定する固定部材を備えていてもよい（請求項５）。
このような照明器具によれば、固定部材によって本発明の照明器具と他の照明器具の接続状態を維持することができる。
【００１４】
次に、上記目的を達成するために成された照明器具用接続部材は、照明器具同士を接続するために用いられ、発光ダイオードを有する他の照明器具に設けられた接続部とそれぞれ接続可能な複数の接続部、を備えている（請求項６）。
【００１５】
このような照明器具用接続部材によれば、複数の接続部を介して複数の照明器具を接続することができるので、複数の照明器具を組み合わせることによって長さを調節することができる。よって、少ない種類の照明器具で従来の蛍光灯の代替をすることができる。
【００１６】
なお、本発明の接続部は、請求項２〜請求項５の何れか１項に記載の接続部と同様の構成とされていてもよい。ただし、本発明の接続部を請求項４に記載の接続部として構成する際には、ある接続部の端子部が他の接続部の端子部と電気的に接続されていればよい。
【図面の簡単な説明】
【００１７】
【図１】本実施形態のＬＥＤ照明ユニット１の使用態様を示す説明図（ａ）、および従来の蛍光灯の使用態様を示す説明図（ｂ）である。
【図２】ＬＥＤ照明ユニット１の接続態様を示す説明図（その１）である。
【図３】ＬＥＤ照明ユニット１の接続態様を示す説明図（その２）である。
【図４】ＬＥＤ照明ユニット１の接続態様を示す説明図（その３）である。
【図５】ＬＥＤ照明ユニット１の具体的構成を示す斜視図である。
【図６】ＬＥＤ照明ユニット１の接続態様の具体例を示す斜視図である。
【図７】ＬＥＤ照明ユニット１の接続態様の具体例を示す中央断面図である。
【図８】接続部１０，１５の拡大図である。
【図９】変形例の接続部の態様を示す説明図である。
【発明を実施するための形態】
【００１８】
以下に本発明にかかる実施の形態を図面と共に説明する。
なお、本発明の実施の形態は、上記の実施形態に何ら限定されることはなく、本発明の技術的範囲に属する限り種々の形態を採りうる。
【００１９】
［本実施形態の概要］
まず、図１〜図４を用いて、本実施形態の概要について説明する。
図１（ａ）は本実施形態のＬＥＤ照明ユニット１の使用態様を示す説明図、図１（ｂ）は従来の蛍光灯の使用態様を示す説明図である。本実施形態のＬＥＤ照明ユニット１は、図１（ａ）に示すように、他のＬＥＤ照明ユニット１と直列に連結した上で、電源９０に接続できるように構成されている。
【００２０】
なお、図１〜図４においては、先端が尖った印（矢印）と、先端が凹んだ印（矢印）とが、それぞれ他の物品と接続するための接続部を示しており、先端が尖った印（第１接続部）は、先端が凹んだ印（第２接続部）と接続できることを意味している。
【００２１】
このＬＥＤ照明ユニット１は、例えば、既存の商店における冷蔵庫等のショーケースにおける照明として利用できるよう防水性等が設定されている。また、ＬＥＤ照明ユニット１は、図１（ｂ）に示す従来の蛍光灯１００に換えて配置することができるよう設定されており、ＬＥＤ照明ユニット１を直列に連結することで、任意の長さの蛍光灯１００と同じ長さにすることができる。
【００２２】
また、従来の蛍光灯１００では、蛍光灯１００の両端の端子部を電源１０１に接続する構成とする必要があったが、本実施形態のＬＥＤ照明ユニット１では、一端側の端子部のみを電源９０に接続し、他端側の複数の端子部同士を接続する構成を採用することができる（図１（ａ）参照）なお、図２以降では、複数の端子部同士を接続する構成についての記載を省略している。
【００２３】
次に、図２〜図４は、本実施形態のＬＥＤ照明ユニット１の接続態様を示す説明図である。ＬＥＤ照明ユニット１は、図１（ａ）に示したように、直接他のＬＥＤ照明ユニット１と接続できるが、図２（ａ）に示すように接続部材２０を介して他のＬＥＤ照明ユニット１と接続することもできる。
【００２４】
接続部材２０は、前述の第１接続部と第２接続部とを１つずつ備えているが、第１接続部が向けられた方向と第２接続部が向けられた方向とのなす角は、９０度に設定されている。つまり、この接続部材２０を用いれば、複数のＬＥＤ照明ユニット１を直角に曲げた状態で直列に接続することができる。なお、この角度（第１接続部が向けられた方向と第２接続部が向けられた方向とのなす角）は、任意に設定することができる。
【００２５】
また、接続部材２０は、一組の接続部（第１接続部および第２接続部）を備えた構成としてもよいが、二組或いはそれ以上の接続部を備えた構成としてもよい（図２（ａ）に示す接続部材２５参照）。また、接続部材の形状は、図２（ｂ）に示す接続部材３０のようにＬ字型としてもよいし、図２（ｃ）に示す接続部材３５ように十字型としてもよいし、図２（ｄ）に示す接続部材４０のように円弧型としてもよいし、他の形状としてもよい。
【００２６】
何れの接続部材を利用するかについては、ＬＥＤ照明ユニット１と接続部材とを組み合わせたときの長さが既存の蛍光灯１００の長さと一致するように、これらの接続部材のうちから利用する接続部材を選択するようにすればよい。
【００２７】
また、図１（ａ）に示した例では、電源９０とＬＥＤ照明ユニット１とを直接接続するようにしたが、図３（ａ）に示すように、電源９０と接続部材４５とを接続し、ＬＥＤ照明ユニット１を接続部材４５に接続するようにしてもよい。この場合、ＬＥＤ照明ユニット１は接続部材４５を介して電源９０から電力の供給を受けることになる。
【００２８】
このように電源９０を接続部材に接続する場合であっても、この接続部材は、図３（ｂ）に示すように二組或いはそれ以上の接続部を備えた接続部材５０としてもよいし、図４（ａ）に示す接続部材５５のようにＬ字型としてもよいし、図４（ｂ）に示す接続部材６０ように十字型としてもよいし、他の形状としてもよい。
【００２９】
［本実施形態の構成］
次に、ＬＥＤ照明ユニット１の具体的構成について図５に示す斜視図を用いて説明する。ＬＥＤ照明ユニット１は、図５に示すように、本体部５と、固定部材７と、接続部１０，１５と、を備えている。
【００３０】
本体部５は、一方向に延伸された形状を有し、その延伸方向に沿って複数の発光ダイオード６が一列に整列して配置されている。接続部１０，１５は、本体部５における延伸方向の両端部にそれぞれ設けられており、他のＬＥＤ照明ユニット１や接続部材３０等に設けられた接続部１０，１５と接続可能に構成されている。
【００３１】
固定部材７は、リング状に形成されており、本体部５が挿通された状態とされている。この固定部材７の内側には、他のＬＥＤ照明ユニット１や接続部材３０等における接続部１５に設けられた雄ねじ部１６と組み合わせることができる雌ねじ部８が形成されている。
【００３２】
次に、このように構成されたＬＥＤ照明ユニット１の接続態様の具体例を図６〜図８を用いて説明する。図６は斜視図、図７は中央断面図、図８は接続部１０，１５の拡大図である。
【００３３】
図６に示すように、ＬＥＤ照明ユニット１は、全く同じ構成のＬＥＤ照明ユニット１を、接続部１０，１５を用いて接続できるよう構成されている。つまり、ＬＥＤ照明ユニット１において、一方の接続部１０は、他方の接続部１５と組み合わせることができる形状に形成されている。
【００３４】
また、ＬＥＤ照明ユニット１は、他の形状（異なる長さ）のＬＥＤ照明ユニット１や接続部材３０等とも接続できるように構成されている。ＬＥＤ照明ユニット１と接続可能な接続部材３０等においては、ＬＥＤ照明ユニット１の接続部１０，１５と同じ形状の接続部３１，３２が備えられている。例えば、接続部材３０に配置された一方の接続部３１は、ＬＥＤ照明ユニット１の一方の接続部１５と接続できるよう構成されており、接続部材３０に配置された他方の接続部３２は、ＬＥＤ照明ユニット１の他方の接続部１０と接続できるよう構成されている。
【００３５】
ここで、ＬＥＤ照明ユニット１の接続部１０においては、図７等に示すように、複数の端子部１１と突起部１２とが形成されており、ＬＥＤ照明ユニット１の接続部１５においては、突起部１２を挿入可能な凹部１７と複数の端子部１８とが形成されている。なお、各端子部１１，１８は、発光ダイオード６に電力を供給するために経路として用いられる。
【００３６】
また、複数のＬＥＤ照明ユニット１同士を接続する場合には、図７，８に示すように、一方のＬＥＤ照明ユニット１の接続部１０と、他方のＬＥＤ照明ユニット１の接続部１５とを突起部１２が凹部１７に挿入されつつ接合される。
【００３７】
つまり、これらの突起部１２および凹部１７によって、位置決めが成される。また、このとき各端子部１１，１８同士も接続され、複数のＬＥＤ照明ユニット１は、電気的にも接続されることになる。
【００３８】
なお、各端子部１１，１８はＯリングを介して各接続部１０，１５に固定されており、各端子部１１，１８は、Ｏリングによる弾性力によって所定の圧力で密着するよう設定されている。
【００３９】
各接続部１０，１５は、図８に示すように、固定部材７の雌ねじ部８が雄ねじ部１６に組み付けられることによって締結され、各端子部１１，１８の密着状態が維持される。なお、接続部１０の外周部にはＯリング１３が設けられており、このＯリング１３が接続部１５と密着した状態で固定される。この結果、接続部１０，１５の接続部分における防水性能が確保されている。
【００４０】
［本実施形態による効果］
以上のように詳述したＬＥＤ照明ユニット１においては、発光ダイオード６が配置され、一方向に延伸された形状を有する本体部５と、本体部５の延伸方向における両端においてそれぞれ配置され、発光ダイオード６を有する他のＬＥＤ照明ユニット１に設けられた接続部１０，１５と接続可能な接続部１０，１５と、を備えている。
【００４１】
このようなＬＥＤ照明ユニット１によれば、接続部１０，１５を介して他のＬＥＤ照明ユニットと接続することができるので、複数のＬＥＤ照明ユニット１を組み合わせることによって長さを調節することができる。よって、少ない種類のＬＥＤ照明ユニット１で従来の蛍光灯の代替をすることができる。
【００４２】
また、ＬＥＤ照明ユニット１において、接続部１０は、他方の接続部１５と組み合わせることができる形状に形成されている。
このようなＬＥＤ照明ユニット１によれば、本発明のＬＥＤ照明ユニット１を複数準備すれば、これらを直列に接続することができる。よって、本発明のＬＥＤ照明ユニット１と接続するための他のＬＥＤ照明ユニットを別途開発することを要しないため、コスト削減することができる。
【００４３】
また、ＬＥＤ照明ユニット１において、一方の接続部１０は、突起部１２を備え、他方の接続部１５は、突起部１２を挿入可能な凹部１７を備えている。
このようなＬＥＤ照明ユニット１によれば、ＬＥＤ照明ユニット１を直列に接続する際に、突起部１２と凹部１７とを組み合わせることによって容易に位置決めすることができる。
【００４４】
さらに、ＬＥＤ照明ユニット１において、接続部１０，１５は、他のＬＥＤ照明ユニットの接続部と接続されたときに、このＬＥＤ照明ユニット１と他のＬＥＤ照明ユニットとが電気的に接続される端子部１１，１８を備えている。
【００４５】
このようなＬＥＤ照明ユニット１によれば、他のＬＥＤ照明ユニットと接続する際に、電気的にも接続することができる。よって、電気的な接続を別途行う場合と比較して、当該ＬＥＤ照明ユニット１を接続する際の工程を簡素にすることができる。
【００４６】
また、上記ＬＥＤ照明ユニット１においては、他のＬＥＤ照明ユニットの接続部１０，１５と接続されたときに、このＬＥＤ照明ユニット１と他のＬＥＤ照明ユニットとを固定する固定部材７を備えていてもよい。
【００４７】
このようなＬＥＤ照明ユニット１によれば、固定部材７によって本発明のＬＥＤ照明ユニット１と他のＬＥＤ照明ユニットの接続状態を維持することができる。
また、本実施形態において、接続部材３０は、ＬＥＤ照明ユニット１同士を接続するために用いられ、発光ダイオード６を有する他のＬＥＤ照明ユニット１に設けられた接続部１０，１５とそれぞれ接続可能な複数の接続部３１，３２、を備えている。
【００４８】
このような接続部材３０によれば、複数の接続部３１，３２を介して複数のＬＥＤ照明ユニット１を接続することができるので、複数のＬＥＤ照明ユニット１を組み合わせることによって長さを調節することができる。よって、少ない種類のＬＥＤ照明ユニット１で従来の蛍光灯の代替をすることができる。
【００４９】
特に、接続部材３０における接続部３１，３２は、ＬＥＤ照明ユニット１の接続部１０，１５と同様の構成とされている。しかも、ある接続部３１の端子部が接続部材３０の内部で他の接続部３２の端子部と電気的に接続されている。
【００５０】
従って、このような接続部材３０によれば、接続部材３０を介して複数のＬＥＤ照明ユニット１を直列に接続することができる。
［その他の実施形態］
上記実施形態のＬＥＤ照明ユニット１においては、端子部１１，１８を接合した状態で雌ねじ部８を有する固定部材７で他のＬＥＤ照明ユニット１や接続部材３０等と接続するよう構成したが、例えば、図９に示すような構成としてもよい。
【００５１】
即ち、図９（ａ）に示すように、一方の接続部１０ａを金属製端子部である雄ピン１１ａとして構成し、他方の接続部１５ａを金属製端子部であり、雄ピン１１ａを挿入可能な雌ピン１８ａとして構成してもよい。また、図９（ｂ）に示すように、固定部７に換えて、一方の接続部１０ｂの内部に磁石１４を内包し、他方の接続部１５ｂに磁石または鉄片１９を内包するようにして、磁力により接続部１０，１５の固定状態を維持するようにしてもよい。
【００５２】
さらに、上記実施形態では、突起部１２を凹部１７に挿入することによって位置決めし、端子部１１，１８の位置決めも同時に行ったが、図９（ｃ）に示すように、各接続部１０ｃ，１５ｃに配置された端子部１１ｃ、１８ｃが同心円状に形成されていれば、突起部等を用いた位置決めをすることなく、任意の向きで各端子部１１，１８を接続することができる。
【００５３】
また、上記実施形態においては、端子部１１，１８によって電源９０や他のＬＥＤ照明ユニットとの間での電力のやりとりを行ったが、電磁誘導を利用して電力のやりとりを行うようにしてもよい。具体的には、ＬＥＤ照明ユニット１においては、一方の接続部１０に送電用トランスを設けておき、他方の接続部１５に受電用トランスを設けておく。このとき、各トランス間において電圧が下がらないよう各トランスのコイル巻き数を設定しておくとよい。
【００５４】
この構成では、家庭用低圧電力（ＡＣ１００Ｖまたは２００Ｖ）の電源をそのまま利用し、ＬＥＤ照明ユニット１内で変圧して発光ダイオード６に電力供給する構成とすることができる。
【符号の説明】
【００５５】
１…ＬＥＤ照明ユニット、５…本体部、６…発光ダイオード、７…固定部材、８…雌ねじ部、１０，１０ａ，１０ｂ，１０ｃ…接続部、１１，１１ｂ，１１ｃ…端子部、１１ａ…雄ピン、１２…突起部、１３…Ｏリング、１４…磁石、１５，１５ａ，１５ｂ，１５ｃ…接続部、１６…雄ねじ部、１７…凹部、１８…端子部、１８ａ…雌ピン、１９…鉄片、２０，３０，３５，４０，４５，５０，５５，６０…接続部材、３１，３２…接続部、９０…電源、１００…蛍光灯、１０１…電源。
【図１】
2011222408.tif 000003
【図２】
2011222408.tif 000004
【図３】
2011222408.tif 000005
【図４】
2011222408.tif 000006
【図７】
2011222408.tif 000007
【図９】
2011222408.tif 000008
【図５】
2011222408.tif 000009
【図６】
2011222408.tif 000010
【図８】
2011222408.tif 000011